(57)【要約】【課題】ブローイング断熱材の良さを一般の人にでも容易に理解してもらうことができる、ブローイング断熱材の体験設備及び同断熱材の表現方法を提供する。【解決手段】ブローイング装置５と、ブローイング断熱材と、ブローイング断熱材を充填する容器１と、比較用のマット状断熱材７と、該断熱材７を充填する容器２とが備えられている。また、各容器１，２内に邪魔材３，４が備えられた体験設備を用い、体験希望者に断熱材充填の体験をしてもらう。【選択図】      図１
2006106094.tif 000002
【特許請求の範囲】
【請求項１】
吹込み用のブローイング装置と、
ブローイング断熱材と、
ブローイング断熱材を充填する容器と、
比較する他の断熱材と、
該比較用断熱材を充填する容器と、
が備えられていることを特徴とする吹込み断熱材の体験設備。
【請求項２】
前記各容器内に邪魔材が備えられている請求項１に記載のブローイング断熱材の体験設備。
【請求項３】
前記各容器は、周囲に透明な立ち上がりを有して上端で開口する扁平な容器からなり、邪魔材が、容器の底面と間隔をおくようにして容器内の高さ方向中間部に備えられている請求項２に記載のブローイング断熱材の体験設備。
【請求項４】
断熱性能比較手段が備えられている請求項１乃至３に記載のブローイング断熱材の体験設備。
【請求項５】
請求項１乃至４のいずれか一に記載の設備を用い、体験希望者に体験をしてもらうことを特徴とするブローイング断熱材の表現方法。
【発明の詳細な説明】
【技術分野】
【０００１】
本発明は、ブローイング断熱材の体験設備及び同断熱材の表現方法に関する。
【背景技術】
【０００２】
グラスウール、ロックウール、セルローズ等の小片からなるブローイング断熱材は、建物等への施工が容易で、断熱材を隙間なく充填することができ、そのため、冬の寒さや夏の熱さに高い効果を発揮するものとして、他の断熱材では得られない良さがある。
【発明の開示】
【発明が解決しようとする課題】
【０００３】
しかしながら、単に、ブローイング断熱材が充填された外壁などのカットサンプルや模型を見せたり、ブローイング断熱材そのものを見せたりするだけでは、ブローイング断熱材の良さを一般の人に理解してもらうのはなかなか難しい。
【０００４】
本発明は、上記のような問題点に鑑み、ブローイング断熱材の良さを一般の人にでも容易に理解してもらうことができる、ブローイング断熱材の体験設備及び同断熱材の表現方法を提供することを課題とする。
【課題を解決するための手段】
【０００５】
上記の課題は、吹込み用のブローイング装置と、
ブローイング断熱材と、
ブローイング断熱材を充填する容器と、
比較する他の断熱材と、
該比較用断熱材を充填する容器と、
が備えられていることを特徴とする吹込み断熱材の体験設備（第１発明）によって解決される。
【０００６】
この体験設備では、体験希望者に実際にブローイング装置とブローイング断熱材と容器とを用いて吹込みの体験してもらうことができ、それによって、ブローイング断熱材がブローイング装置によって容器内にどのようにして充填されていくのかを体験者に容易に理解してもらうことができる。特に本設備では、比較する他の断熱材とそれを充填する容器も備えられているので、その断熱材についての施工の体験も併せて行うことができ、その比較体験を通じて、体験者に、ブローイング断熱材の施工性の良さを容易に理解してもらうことができる。
【０００７】
第１発明の体験設備において、各容器内に邪魔材が備えられている場合（第２発明）は、体験希望者に吹き込みの体験をしてもらうことにより、ブローイング断熱材が邪魔材をどのようにかわし、どのようにして囲い込んで容器内に充填されていくのかを、体験者に、ブローイング断熱材の動きを実際に見てもらうことによって容易に理解してもらうことができる。
【０００８】
第２発明の体験設備において、各容器は、周囲に透明な立ち上がりを有して上端で開口する扁平な容器からなり、邪魔材が、容器の底面と間隔をおくようにして容器内の高さ方向中間部に備えられているとよい（第３発明）。
【０００９】
この場合は、容器内への断熱材の充填体験を体験希望者に下向き作業の楽な姿勢で行ってもらうことができ、体験者の肉体的負担を軽くすることができる。しかも、各容器内には、邪魔材が、容器の底面と間隔をおくようにして容器内の高さ方向中間部に備えられているので、ブローイング断熱材が邪魔材の下方にも容易に充填されていくのを、容器の透明な立ち上がりを通じて見てもらうことにより、容易に理解してもらうことができ、また、比較体験を通じて、ブローイング断熱材の施工性の良さをより深く認識してもらうことができる。
【００１０】
上記の第１、第２，第３発明の体験設備において、断熱性能比較手段が備えられている場合（第４発明）は、自らの体験によって容器内に充填したブローイング材が、同じく容器内に充填された比較用断熱材との比較においてどの程度の断熱性能を発揮するのかを、目の前で確認することができ、ブローイング断熱材を用いた断熱構造の断熱性能の良さを容易に理解してもらうことができる。
【００１１】
特に、第２、第３発明の体験設備において、断熱性能比較手段が備えられている場合は、ブローイング断熱材を用いた断熱構造の断熱性能の良さの理由がどこにあるのかを、邪魔材と断熱材との取り合い関係を見てもらうことにより、容易に理解してもらうことができる。
【００１２】
また、上記の課題は、第１〜４発明の体験設備を用い、体験希望者に体験をしてもらうことを特徴とするブローイング断熱材の表現方法（第５発明）によって同様に解決することができる。
【発明の効果】
【００１３】
本発明は、以上のとおりのものであるから、ブローイング断熱材の良さを一般の人にでも容易に理解してもらうことができる。
【発明を実施するための最良の形態】
【００１４】
次に、本発明の実施最良形態を図面に基づいて説明する。
【００１５】
図１に示す実施形態の体験設備において、１はブローイング断熱材を充填する容器、２は比較用断熱材を充填する容器であり、これら容器１，２は、周囲に透明な立ち上がり１ａ，２ａを有して上端で開口する扁平な容器からなっており、隣り合わせで、人の腰の高さ位置前後に備えられている。また、各容器１，２内の中央部には、邪魔材としての桟材３，４が容器１，２の底面と間隔をおくようにして容器１，２内の高さ方向中間部に水平に備えられている。
【００１６】
そして、体験設備の構成要素として、ブローイング断熱材を収容した吹込み用のブローイング装置５と、比較用断熱材としてのグラスウールのマット状断熱材７…とが備えられている。ブローイング装置５は、ブロワー及びブローイング断熱材収容部を備えた本体部５ａと、吹込み用ホース５ｂとを備えている。
【００１７】
また、本体験設備の他の構成要素として、断熱性能比較手段が備えられており、該手段は、図３に示すように、後付けできるものからなり、各容器部１，２に充填された断熱材６，７の上方に設置される熱源としての投熱器８，８と、各容器１，２の下面の桟材３，４直下位置に付けられる温度センサー９，９と、温度表示盤１２，１２とで構成されている。
【００１８】
上記の体験設備では、図２に示すように、監督者１０のもとで、体験希望者１１に、実際にブローイング装置５を用い、ホース５ｂを手に持って、容器１に対してブローイング断熱材６の吹込みの体験してもらう。体験作業は下向きで身体負担少なく行ってもらうことができる。この体験を通じて、体験者１１に、ブローイング断熱材６がブローイング装置５によって容器１内にどのようにして充填されていくのかを、容易に理解してもらうことができ、施工の容易性をわかってもらうことができる。
【００１９】
そして、比較用のマット状断熱材７とそれ用の充填容器２も備えられているので、容器２へのマット状断熱材７の充填の体験も併せて行ってもらうことができ、その比較体験を通じて、体験者１１に、マット状断熱材７の場合の持ち運びや容器２へのセッティングの厄介さとの比較において、ブローイング断熱材６の施工性の良さを容易に理解してもらうことができる。
【００２０】
特に、本実施形態の設備では、各容器１，２は、周囲に透明な立ち上がり１ａ，２ａを有し、邪魔材３，４が、容器１，２の底面と間隔をおくようにして容器１，２内の高さ方向中間部に備えられているので、体験希望者１１に吹き込みの体験をしてもらうことにより、ブローイング断熱材６が邪魔材３をどのようにかわし、邪魔材３の下の領域部分までどのようにして囲い込んで容器１内に充填されていくのかをブローイング断熱材６の動きを見てもらって容易に理解してもらうことができる。
【００２１】
その一方、比較用容器２へのマット状断熱材７の充填作業では、邪魔材４が邪魔で、邪魔材４の上面部や、下面側を充填するのが困難であることを体験で知り、それとの比較で、ブローイング工法のすばらしさを容易に理解してもらうことができる。
【００２２】
なお、体験において夫婦などの二人の体験希望者１１，１１に同時に体験してもらう場合には、適宜入れ替わりを行って、それぞれの容器１，２に対するそれぞれ断熱材６，７の充填作業をともに行ってもらうようにするとよい。
【００２３】
こうして施工性についての理解をしてもらったのち、図３に示すように、断熱性能比較手段である、投熱器８，８と、温度センサー９，９と、温度表示盤１２，１２とを設置し、投熱器８，８からの熱で、どの程度の断熱性能が実現されるのかを温度表示盤１２，１２に表示される温度値を見て、断熱性能の違いを知ってもらうことができる。そして、その違いの原因が、ブローイング断熱材６から容器１内を隙間無く充填することができるのに対して、マット状断熱材７では、特に邪魔材４の部分において隙間や断熱材を充填できない部分がどうしてもできてしまう点にあることを自らの充填体験に基づいて容易に知ってもらうことができる。なお、断熱性能比較手段は、温度センサー９，９等については、邪魔でなければ、容器１，２に予め付けておくようにするのもよいし、また、温度表示盤１２，１２は別所に固定で備えられていてもよい。
【００２４】
以上に、本発明の実施形態を示したが、本発明はこれに限られるものではなく、発明思想を逸脱しない範囲で各種の変更が可能である。例えば、比較用断熱材はウレタン、ポリプロピレン等の発泡樹脂断熱材からなっていてもよいし、要は、ブローイング断熱材６の施工性の良さを強調できるような断熱材であればよい。
【００２５】
また、断熱性能比較手段については、体験設備に投熱器８，８のみを備えさせ、温度は体験者が容器１，２の底面に手を当てて感じ取ってもらう式のものであってもよいし、容器１，２下にサーモビュアを設置し、容器１，２の底面の温度分布をモニタリング表示するものであってもよいし、そのような手段そのものが省略されていてもよい。
【図面の簡単な説明】
【００２６】
【図１】実施形態の体験設備を示す全体正面図である。
【図２】施工性の体験を行ってもらっている状況を示す正面図である。
【図３】断熱性能を比較している状況を示す正面図である。
【符号の説明】
【００２７】
１…ブローイング用容器
２…比較用容器
３…桟材（邪魔材）
５…ブローイング装置
６…ブローイング断熱材
７…マット状断熱材（比較用断熱材）
８…投熱器（断熱性能比較手段）
１１…体験希望者（体験者）
【図１】
2006106094.tif 000003
【図２】
2006106094.tif 000004
【図３】
2006106094.tif 000005